(57)【要約】  本発明は、偏摩耗の発生を抑制しながら、転がり抵抗性とウエットグリップ性とを両立させるようにした空気入りタイヤを提供する。本発明の空気入りタイヤは、キャップゴム１０をタイヤ赤道線ＣＬに跨るセンター部１０ｃとその両側に位置するショルダー部１０ｓ、１０ｓとに区分し、センター部１０ｃにはショルダー部１０ｓに比して０℃のｔａｎδが高いウエットグリップ性重視のコンパウンドを配置し、両ショルダー部１０ｓ、１０ｓにはセンター部１０ｃに比して６０℃のｔａｎδが低い転がり抵抗性重視のコンパウンドを配置すると共に、両ショルダー部１０ｓ、１０ｓにおける最外側主溝９ａ、９ｚのショルダー側にそれぞれ周方向細溝１１、１１を形成する。
2013140999.tif 000002
【特許請求の範囲】
【請求項１】
トレッド部にタイヤ周方向に延びる少なくとも２本の主溝を形成すると共に、トレッド部を構成するキャップゴムをタイヤ赤道線に跨るセンター部とその両側に位置するショルダー部とに区分し、該センター部と両ショルダー部とに物性を異にするコンパウンドを配置した空気入りタイヤにおいて、
前記センター部と両ショルダー部との境界面を前記主溝のうちの最もショルダー側に位置する最外側主溝のタイヤ赤道線側に位置させ、前記センター部の幅をタイヤ赤道線を中心にしてタイヤ接地幅の２０〜７０％の範囲に設定すると共に、前記両ショルダー部における最外側主溝のショルダー側にタイヤ周方向に延びる少なくとも１本の周方向細溝を形成し、前記センター部に０℃でのｔａｎδが両ショルダー部のコンパウンドよりも高いコンパウンドを配置する一方で、前記両ショルダー部に６０℃でのｔａｎδがセンター部よりも低いコンパウンドを配置し、前記センター部及び両ショルダー部のコンパウンドのＪＩＳＡ硬さをそれぞれ６０超にし、かつ前記センター部のコンパウンドのＪＩＳＡ硬さと両ショルダー部のコンパウンドのＪＩＳＡ硬さとの差を３以下にしたことを特徴とする空気入りタイヤ。
【請求項２】
前記センター部に０℃のｔａｎδが０．４以上で、かつ６０℃のｔａｎδが０．１〜０．３５であるコンパウンドを配置し、前記両ショルダー部に０℃のｔａｎδが０．３〜０．６で、かつ６０℃のｔａｎδが０．２以下であるコンパウンドを配置したことを特徴とする請求項１に記載の空気入りタイヤ。
【請求項３】
前記周方向細溝の中心線をタイヤ赤道線を中心にしてタイヤ接地幅の１０５％に相当する位置よりもタイヤ赤道線側に位置させると共に、該周方向細溝の開口幅を０．５〜３．０ｍｍにし、かつ溝深さを前記最外側主溝の溝深さより小にしたことを特徴とする請求項１または２に記載の空気入りタイヤ。
【請求項４】
前記センター部と両ショルダー部との境界面を前記最外側主溝のタイヤ赤道線側の溝壁からタイヤ赤道線側に向けて前記最外側主溝の開口幅の２０％以上離れた距離に位置させたことを特徴とする請求項１〜３のいずれかに記載の空気入りタイヤ。
【請求項５】
前記最外側主溝の中心線を、タイヤ赤道線を中心にしてタイヤ接地幅の４０〜７０％の範囲内に位置させたことを特徴とする請求項１〜４のいずれかに記載の空気入りタイヤ。
【請求項６】
前記センター部と両ショルダー部との境界面を、タイヤ子午線断面上において、タイヤ径方向と略平行となる面に形成したことを特徴とする請求項１〜５のいずれかに記載の空気入りタイヤ。
【請求項７】
前記センター部と両ショルダー部との境界面を、タイヤ子午線断面上において、該センター部の幅がタイヤ径方向外側から内側に向かって徐々に拡大する形状を示す傾斜面に形成したことを特徴とする請求項１〜５のいずれかに記載の空気入りタイヤ。
【発明の詳細な説明】
【技術分野】
【０００１】
本発明は、空気入りタイヤに関し、さらに詳しくは、トレッド部のセンター領域と両ショルダー領域とに互いに物性の異なるコンパウンドを配置した空気入りタイヤにおける偏摩耗の発生を抑制しながら、転がり抵抗性とウエットグリップ性とを両立させるようにした空気入りタイヤに関する。
【背景技術】
【０００２】
一般に、タイヤの転がり抵抗を低減させるための手法として、トレッド部を構成するキャップゴムに６０℃のｔａｎδが低い転がり抵抗性重視のゴムを使用することによって、キャップトレッドの粘性損失を低減させることが広く行なわれてきた。ところが、この種のタイヤでは、湿潤路面におけるグリップ性能が低下するという問題を孕んでおり、近年では、ウエットグリップ性を向上させるための対策が強く求められてきた。【０００３】
一方、タイヤのウエットグリップ性を向上させるための対策として、０℃のｔａｎδが高いウエットグリップ性重視のゴムをキャップゴムとして使用するのが好ましいことが知られている。しかしながら、０℃における高いｔａｎδと６０℃における低いｔａｎδとを同時に併せ持ったコンパウンドを得ることは技術的に限界があることから、キャップゴムとして単一のコンパウンドを使用して上述する要求に応えることは極めて難しいという問題があった。【０００４】
従来、空気入りタイヤの要求性能を満たすために、キャップゴムのタイヤ幅方向に複数種類の異なる物性を有するゴムを配置するようにした提案がある（例えば、特許文献１、２参照）。しかし、特許文献１では、センター領域を軟質ゴムで構成しているため、偏摩耗が生じ易いという欠点があり、特許文献２では、センター部に転がり抵抗性重視のゴムを配置し、ショルダー部にウエットグリップ性重視のゴムを配置しているため、転がり抵抗性が悪化するという欠点があり、いずれの提案にあっても、転がり抵抗性とウエットグリップ性とを両立させるための対策としては不十分であり、さらなる改善が求められてきた。
【先行技術文献】
【特許文献】
【０００５】
【特許文献１】日本国特開平６−２６２９０７号公報
【特許文献２】日本国特開２００６−２４０５０７号公報
【発明の概要】
【発明が解決しようとする課題】
【０００６】
本発明の目的は、かかる従来の問題点を解消するもので、偏摩耗の発生を抑制しながら、転がり抵抗性とウエットグリップ性とを両立させるようにした空気入りタイヤを提供することにある。
【課題を解決するための手段】
【０００７】
上記目的を達成するための本発明の空気入りタイヤは、以下の（１）の構成を有するものである。
（１）トレッド部にタイヤ周方向に延びる少なくとも２本の主溝を形成すると共に、トレッド部を構成するキャップゴムをタイヤ赤道線に跨るセンター部とその両側に位置するショルダー部とに区分し、該センター部と両ショルダー部とに物性を異にするコンパウンドを配置した空気入りタイヤにおいて、前記センター部と両ショルダー部との境界面を前記主溝のうちの最もショルダー側に位置する最外側主溝のタイヤ赤道線側に位置させ、前記センター部の幅をタイヤ赤道線を中心にしてタイヤ接地幅の２０〜７０％の範囲に設定すると共に、前記両ショルダー部における最外側主溝のショルダー側にタイヤ周方向に延びる少なくとも１本の周方向細溝を形成し、前記センター部に０℃でのｔａｎδが両ショルダー部のコンパウンドよりも高いコンパウンドを配置する一方で、前記両ショルダー部に６０℃でのｔａｎδがセンター部よりも低いコンパウンドを配置し、前記センター部及び両ショルダー部のコンパウンドのＪＩＳＡ硬さをそれぞれ６０超にし、かつ前記センター部のコンパウンドのＪＩＳＡ硬さと両ショルダー部のコンパウンドのＪＩＳＡ硬さとの差を３以下にしたことを特徴とする空気入りタイヤ。【０００８】
さらに、上述する構成において、以下の（２）〜（７）のいずれかの構成とすることが好ましい。
（２）前記センター部に０℃のｔａｎδが０．４以上で、かつ６０℃のｔａｎδが０．１〜０．３５であるコンパウンドを配置し、前記両ショルダー部に０℃のｔａｎδが０．３〜０．６で、かつ６０℃のｔａｎδが０．２以下であることを特徴とするコンパウンドを配置した上記（１）に記載の空気入りタイヤ。
（３）前記周方向細溝の中心線をタイヤ赤道線を中心にしてタイヤ接地幅の１０５％に相当する位置よりもタイヤ赤道線側に位置させると共に、該周方向細溝の開口幅を０．５〜３．０ｍｍにし、かつ溝深さを前記最外側主溝の溝深さより小にしたことを特徴とする上記（１）または（２）に記載の空気入りタイヤ。
（４）前記センター部と両ショルダー部との境界面を前記最外側主溝のタイヤ赤道線側の溝壁からタイヤ赤道線側に向けて前記最外側主溝の開口幅の２０％以上離れた距離に位置させたことを特徴とする上記（１）〜（３）のいずれかに記載の空気入りタイヤ。
（５）前記最外側主溝の中心線を、タイヤ赤道線を中心にしてタイヤ接地幅の４０〜７０％の範囲内に位置させたことを特徴とする上記（１）〜（４）のいずれかに記載の空気入りタイヤ。
（６）前記センター部と両ショルダー部との境界面を、タイヤ子午線断面上において、タイヤ径方向と略平行となる面に形成したことを特徴とする上記（１）〜（５）のいずれかに記載の空気入りタイヤ。
（７）前記センター部と両ショルダー部との境界面を、タイヤ子午線断面上において、該センター部の幅がタイヤ径方向外側から内側に向かって徐々に拡大する形状の傾斜面に形成したことを特徴とする上記（１）〜（５）のいずれかに記載の空気入りタイヤ。
【発明の効果】
【０００９】
請求項１にかかる本発明の空気入りタイヤによれば、トレッド部を構成するキャップゴムをタイヤ赤道線に跨るセンター部とその両側に位置するショルダー部とに区分し、センター部と両ショルダー部との境界面を最外側主溝のタイヤ赤道線側に位置させ、かつセンター部の幅をタイヤ接地幅の２０〜７０％の範囲に設定したうえで、タイヤ走行時に路面との接触圧が大きいセンター部にはショルダー部に比して０℃のｔａｎδが高いウエットグリップ性重視のコンパウンドを配置したので、湿潤路面におけるグリップ特性を向上させることができると同時に、タイヤ走行時に大きな変形を伴う最外側主溝の近傍を含めた両ショルダー部にはセンター部に比して６０℃のｔａｎδが低い転がり抵抗性重視のコンパウンドを配置したので、転がり抵抗性を効率よく向上させることができる。【００１０】
しかも、センター部と両ショルダー部には、ＪＩＳＡ硬さが６０超のコンパウンドを配置したので、トレッド面における偏摩耗が抑制されると同時に、センター部と両ショルダー部とにおけるＪＩＳＡ硬さの差を３以内に抑えたので、センター部と両ショルダー部との境界における剛性の変化が抑制され、クラックの発生要因になったり、段差摩耗の発生要因になることがない。【００１１】
さらに、左右のショルダー部における最外側主溝のショルダー側にそれぞれタイヤ周方向に延びる周方向細溝を形成したので、この周方向細溝がタイヤ走行時において溝幅を変化させることにより、タイヤ変形時における粘性損失が大きいバットレス部の変形を緩和して、転がり抵抗性の向上効果を促進させている。
【図面の簡単な説明】
【００１２】
【図１】図１は、本発明の空気入りタイヤの一実施態様例を示す子午線断面図である。
【図２】図２は、図１に示した本発明の空気入りタイヤにおけるトレッド部を取り出して示す要部子午線断面図である。
【図３】図３（ａ）〜（ｃ）は、それぞれ本発明の空気入りタイヤの他の実施態様を示すものであり、図２に相当する要部子午線断面図である。
【発明を実施するための形態】
【００１３】
本発明の空気入りタイヤの実施形態について、添付の図面を参照して詳細に説明する。
【００１４】
図１は本発明の空気入りタイヤの一実施態様例を示す子午線断面図、図２は図１のタイヤにおけるトレッド部を取り出して示す子午線断面図である。
【００１５】
本発明の空気入りタイヤ１は、図１に例示するように、トレッド部２からサイドウォール部３、３を経て左右一対のビード部４、４に埋設されたビードコア５、５に至るカーカス層６と、カーカス層６の外周側に配置されたベルト層７、８とを備えており、トレッド部２にはタイヤ周方向に延びる少なくとも２本（図では３本）の主溝９ａ、９ｂ、９ｚが形成されている。
【００１６】
トレッド部２を構成するキャップゴム１０は、タイヤ赤道線ＣＬを挟むセンター部１０ｃとその両側に位置するショルダー部１０ｓ、１０ｓとに区分され、センター部１０ｃと両ショルダー部１０ｓ、１０ｓとには、物性を異にするゴム組成物が配置されている。なお、図中１２はベースゴムを示している。
【００１７】
そして、本発明では、図２に示すように、センター部１０ｃと両ショルダー部１０ｓ、１０ｓとの境界面Ｑ、Ｑを、主溝９ａ、９ｂ、９ｚのうちの最もショルダー側に位置する最外側主溝９ａ、９ｚのタイヤ赤道線ＣＬ側に位置させ、センター部１０ｃの幅Ｗをタイヤ赤道線ＣＬを中心にしてタイヤ接地幅ＴＷの２０〜７０％，好ましくは３０〜６０％の範囲に設定するとともに、両ショルダー部１０ｓ、１０ｓにおける最外側主溝９ａ、９ｚのショルダー側にそれぞれタイヤ周方向に延びる少なくとも１本（図では１本）の周方向細溝１１、１１を形成している。
【００１８】
そして、センター部１０ｃには０℃でのｔａｎδが両ショルダー部１０ｓ、１０ｓのコンパウンドよりも高いコンパウンドを配置する一方で、両ショルダー部１０ｓ、１０ｓには６０℃でのｔａｎδがセンター部１０ｃよりも低いコンパウンドを配置し、センター部１０ｃ及び両ショルダー部１０ｓ、１０ｓのコンパウンドのＪＩＳＡ硬さをそれぞれ６０超、好ましくは７５以下にすると共に、センター部１０ｃのコンパウンドのＪＩＳＡ硬さと両ショルダー部１０ｓ、１０ｓのコンパウンドのＪＩＳＡ硬さとの差を３以下にしている。
【００１９】
このように、キャップゴム１０をタイヤ赤道線ＣＬに跨るセンター部１０ｃとその両側に位置するショルダー部１０ｓ、１０ｓとに区分し、センター部１０ｃと両ショルダー部１０ｓ、１０ｓとの境界面Ｑ、Ｑを最外側主溝９ａ、９ｚのタイヤ赤道線ＣＬ側に位置させ、かつセンター部１０ｃの幅Ｗをタイヤ接地幅ＴＷの２０〜７０％の範囲に設定したうえで、タイヤ走行時に路面との接触圧が大きいセンター部１０ｃにはショルダー部１０ｓ、１０ｓに比して０℃のｔａｎδが高いウエットグリップ性重視のコンパウンドを配置したので、湿潤路面におけるグリップ特性を向上させることができると同時に、タイヤ走行時に大きな変形が生ずる最外側主溝９ａ、９ｚの近傍を含めて両ショルダー部１０ｓ、１０ｓにはセンター部１０ｃに比して６０℃のｔａｎδが低い転がり抵抗性重視のコンパウンドを配置したので、転がり抵抗性を効率よく向上させることができる。
【００２０】
しかも、センター部１０ｃと両ショルダー部１０ｓ、１０ｓには、それぞれＪＩＳＡ硬さが６０超のコンパウンドを配置したので、トレッド面における偏摩耗が抑制されると同時に、センター部１０ｃと両ショルダー部１０ｓ、１０ｓとにおけるＪＩＳＡ硬さの差を３以内に抑えたので、センター部１０ｃと両ショルダー部１０ｓ、１０ｓとの境界面Ｑ、Ｑにおける剛性の変化が抑制され、クラックの発生要因になったり、段差摩耗の発生要因になることがない。
【００２１】
さらに、左右のショルダー部１０ｓ、１０ｓにおける最外側主溝９ａ、９ｚのショルダー側には、それぞれタイヤ周方向に延びる周方向細溝１１、１１を形成したので、この周方向細溝１１、１１がタイヤ走行時において溝幅を変化させることにより、タイヤ変形時における粘性損失が大きいバットレス部の変形を緩和して、転がり抵抗性の向上効果を促進させる役割を果たしている。
【００２２】
上述する構成からなる本発明の空気入りタイヤ１は、タイヤ接地幅ＴＷに対するセンター部１０ｃの幅Ｗを２０〜７０％の範囲内において任意に変化させることにより、転がり抵抗性とウエットグリップ性との重み付けを自由に設定することができる。ここで、センター部１０ｃの幅Ｗがタイヤ接地幅ＴＷの２０％未満にするとウエットグリップ性の向上効果が不足することになり、７０％超にすると転がり抵抗性の向上効果が不足することになる。
【００２３】
本発明において、０℃におけるｔａｎδとは、ＪＩＳ  Ｋ６３９４に準拠して粘弾性スペクトロメーター（東洋精機製作所製）を使用し、温度０℃、周波数２０Ｈｚ、静歪１０％、動歪±２％の条件で測定したときの値をいい、６０℃におけるｔａｎδとは、温度を６０℃として同じ条件により測定したときの値をいう。また、ＪＩＳＡ硬さとは、ＪＩＳ  Ｋ６２５３に準拠してデュロメーター試験機を使用して測定したときのタイプＡによるゴム硬さをいう。
【００２４】
また、タイヤ接地幅ＴＷとは、タイヤを正規リムに嵌合すると共に、空気圧２３０ｋＰａを充填して、ＪＡＴＭＡ規定の最大負荷能力の７５％に相当する荷重を負荷させたときのタイヤ接地面における幅方向の最大直線距離をいう。
【００２５】
なお、図１及び図２に示した実施態様では、トレッド部２にタイヤ周方向に延びる３本の主溝９ａ、９ｂ、９ｚを形成した場合を示したが、本発明は、トレッド部２に形成する主溝の数はこれに限られることなく、図３（ａ）及び（ｂ）に例示するように、２本の主溝９ａ、９ｚまたは４本の主溝９ａ、９ｂ、９ｃ、９ｚ、或いはそれ以上の主溝９ａ、９ｂ、・・・、９ｚを形成する場合がある。
【００２６】
本発明において、センター部１０ｃには０℃のｔａｎδが好ましくは０．４以上、より好ましくは０．５〜０．９５で、６０℃のｔａｎδが好ましくは０．１〜０．３５、より好ましくは０．１〜０．２であるコンパウンドを配置し、両ショルダー部１０ｓ、１０ｓには０℃のｔａｎδが好ましくは０．３〜０．６、より好ましくは０．４〜０．６で、６０℃のｔａｎδが好ましくは０．２以下、より好ましくは０．１５以下であるコンパウンドを配置することが好ましい。これにより、転がり抵抗性とウエットグリップ性とをバランスよく両立させることができる。
【００２７】
さらに、周方向細溝１１、１１の中心線を、タイヤ赤道線ＣＬを中心にしてタイヤ接地幅ＴＷの１０５％に相当する位置よりもタイヤ赤道線ＣＬ側に位置させると共に、これら周方向細溝１１、１１の開口幅ｗをそれぞれ０．５〜３．０ｍｍにし、かつ溝深さｈを最外側主溝９ａ、９ｚの溝深さより小にすることが好ましい。これにより、転がり抵抗性の向上効果を効率よく促進させながら、周方向細溝１１、１１の近傍からのクラックの発生を防止することができる。
【００２８】
ここで、周方向細溝１１の開口幅ｗを０．５ｍｍ未満にすると転がり抵抗性の向上効果が不足することになり、３．０ｍｍ超になるとショルダー部１０ｓにおける剛性が低下して操縦安定性が低下する要因になる。また、周方向細溝１１の溝深さｈを最外側主溝９ａ、９ｚの溝深さより大きくすると、ショルダー部１０ｓにおける剛性の低下要因になると同時に、溝底からクラックが発生しやすくなり耐久性の低下要因になる。
【００２９】
なお、図１及び図２の実施形態では、周方向細溝１１、１１をタイヤ接地端のショルダー側に形成した場合を示したが、周方向細溝１１、１１はタイヤ接地端の近傍におけるタイヤ赤道線ＣＬ側に形成する場合がある。
【００３０】
本発明において、好ましくは、センター部１０ｃと両ショルダー部１０ｓ、１０ｓとの境界面Ｑ、Ｑを、最外側主溝９ａ、９ｚのタイヤ赤道線ＣＬ側の溝壁からタイヤ赤道線ＣＬ側に向けて最外側主溝９ａ、９ｚの開口幅の２０％以上離れた距離に位置させるのがよい。これにより、粘性損失が大きくなる最外側主溝９ａ、９ｚの近傍を６０℃のｔａｎδが低いコンパウンドで囲むことができるので、転がり抵抗性を確実に向上させることができる。
【００３１】
本発明において、さらに好ましくは、最外側主溝９ａ、９ｚの中心線をタイヤ赤道線ＣＬを中心にしてタイヤ接地幅ＴＷの４０〜７０％、好ましくは５０〜６５％の範囲内に位置させるとよい。これにより、転がり抵抗性とウエットグリップ性とを一層バランスよく両立させることができる。
【００３２】
また、本発明の空気入りタイヤ１では、センター部１０ｃと両ショルダー部１０ｓ、１０ｓとの境界面Ｑ、Ｑを、図２に示すように、タイヤ子午線断面図上において、タイヤ径方向と略平行となる面に形成するか、あるいは、図３（ｃ）に示すように、センター部１０ｃの幅Ｗがタイヤ径方向外側から内側に向かって徐々に拡大する傾斜面に形成するとよい。境界面Ｑ、Ｑを、上述したような傾斜面に形成した場合には、タイヤの摩耗が進行して排水性が低下した場合にあっても、トレッド面に露出するウエットトラクション性重視のコンパウンドからなるセンター部１０ｃの幅Ｗが拡大することにより、良好なウエットトラクション性を確保することが可能になるため、ウエットトラクション性重視のタイヤに対して好ましく適用することができる。
【００３３】
上述するように、本発明の空気入りタイヤは、キャップゴムをタイヤ赤道線に跨るセンター部とその両側に位置するショルダー部とに区分し、センター部にはショルダー部に比して０℃のｔａｎδが高いウエットグリップ性重視のコンパウンドを配置し、両ショルダー部にはセンター部に比して６０℃のｔａｎδが低い転がり抵抗性重視のコンパウンドを配置することにより、転がり抵抗性とウエットグリップ性とを両立させるようにしたもので、簡単な構成でありながら優れた効果を発揮することから、低燃費タイヤにおける湿潤路面での制駆動性能を改良するためのタイヤとして幅広く適用することができる。
【実施例】
【００３４】
タイヤサイズを１９５／６５Ｒ１５、タイヤ構造を図１として、キャップトレッドのコンパウンドを６０℃のｔａｎδが低い転がり抵抗重視のコンパウンドで構成した従来タイヤ（従来例）と、キャップトレッドにおけるコンパウンドの配置形態、トレッド部と両ショルダーに配置するコンパウンドの物性、周方向細溝の有無及びその仕様を表１のように異ならせた本発明タイヤ（実施例１〜４）及び比較タイヤ（比較例１〜５）とをそれぞれ作製した。なお、各タイヤでは、表１の仕様を除く全ての仕様をそれぞれ共通にした。【００３５】
これら１０種類のタイヤについて、それぞれ以下の方法により転がり抵抗性、ウエットグリップ性及び偏摩耗性を評価し、その結果を従来タイヤを１００とする指数により表１に併記した。数値が大きいほど優れていることを示す。【００３６】
なお、表１では、６０℃のｔａｎδが低い転がり抵抗重視のコンパウンドを「低発熱ゴム」と表示し、０℃のｔａｎδが高いウエットグリップ性重視のコンパウンドを「高発熱ゴム」と表示すると共に、「低発熱ゴムと高発熱ゴムの配置」については、「低発熱ゴム」を「低」と表示し、「高発熱ゴム」を「高」と表示したうえで、これら「低発熱ゴム」と「高発熱ゴム」とのタイヤ幅方向における配置関係を横方向に並べて示した。【００３７】
また、表１では、タイヤ接地幅に対する「低発熱ゴム」及び「高発熱ゴム」の幅が占める比率を単に「接地幅比率（％）」と表示した。【００３８】
〔転がり抵抗性の評価〕
各タイヤをリム（サイズ：１５×６Ｊ）に嵌合して空気圧２１０ｋＰａを充填し、室内ドラム試験機（ドラム半径：８５４ｍｍ）により、荷重４．８２ｋＮを負荷させて、速度８０ｋｍ／ｈにて３０分間予備走行させた後、転がり抵抗値を測定し、その結果の逆数を以って転がり抵抗性の評価とした。【００３９】
〔ウエットグリップ性の評価〕
各タイヤをリム（サイズ：１５×６Ｊ）に嵌合して空気圧１８０ｋＰａを充填すると共に、μーＳ評価車両の前後輪に装着して、湿潤路面からなるテストコースを負荷荷重４．５２ｋＮ、速度６５ｋｍ／ｈにて走行させ、ブレーキ負荷時に得られる摩擦係数を測定し、その最大値を以ってウエットグリップ性の評価とした。【００４０】
〔偏摩耗性の評価〕
各タイヤをリム（サイズ：１５×６Ｊ）に嵌合して空気圧２１０ｋＰａを充填すると共に、国産車両の前後輪に装着して、乾燥路面からなるテストコースを平均速度７０ｋｍ／ｈにて１万ｋｍ走行させた後のセンター部における主溝の残溝量とショルダー部における主溝の残溝量とを測定し、ショルダー部における主溝の残溝量に対するセンター部における主溝の残溝量の比を以って偏摩耗性の評価とした。【００４１】
【表１】
2013140999.tif 000003
【００４２】
表１より、本発明タイヤは、従来タイヤ及び比較タイヤに比して、良好な偏摩耗性を維持しながら、転がり抵抗性及びウエットグリップ性をバランスよく向上させていることがわかる。【００４３】
なお、比較例１は、キャップトレッドのコンパウンドを高発熱ゴムで構成したため、転がり抵抗性が悪化し、比較例２は、センター部に低発熱ゴムを配置し両ショルダー部に高発熱ゴムを配置したため、転がり抵抗性が悪化し、比較例３は、センター部に配置した高発熱ゴムの幅が広すぎたため、転がり抵抗性が悪化し、比較例４は、センター部に配置した高発熱ゴムのＪＩＳＡ硬さが小さすぎたため、偏摩耗性が悪化し、比較例５は、ショルダー部に周方向細溝を形成しなかったため、センター部に高発熱ゴムを配置した影響を受けて転がり抵抗性が悪化した、ことをそれぞれ確認した。【００４４】
また、上述する低発熱ゴム及び高発熱ゴムのコンパウンドの配合例として、実施例２のタイヤにおける低発熱ゴム及び高発熱ゴムの配合内容を表２に示した。【００４５】
【表２】
2013140999.tif 000004
【符号の説明】
【００４６】
１：空気入りタイヤ
２：トレッド部
９ａ、９ｂ、９ｃ、９ｚ：主溝
９ａ、９ｚ：最外側主溝
１０：キャップゴム
１０ｃ：センター部
１０ｓ：ショルダー部
１１：周方向細溝
Ｑ：境界面
ＣＬ：タイヤ赤道線
ＴＷ：トレッド接地幅
Ｗ：センター部の幅
【図１】
2013140999.tif 000005
【図２】
2013140999.tif 000006
【図３】
2013140999.tif 000007
【国際調査報告】
2013140999.tif 000008
2013140999.tif 000009
2013140999.tif 000010
2013140999.tif 000011